(57)【要約】      （修正有）【課題】スライドコネクタを有する携帯用機器の保護ケースを提供する。【解決手段】スライドコネクタを有する携帯用機器の保護ケースは、保護ケースの内部で特定方向に往復移動可能なスライドコネクタ１００を含み、スライドコネクタ１００には、携帯用機器接続ポートと接続されるコネクタが設けられ、携帯用機器の接続ポートは、コネクタにより、保護ケースの内部の回路装置に電気的に接続され、携帯用機器が保護ケースに挿入された状態で、スライドコネクタ１００を保護ケースの中心方向に押しこむと、コネクタと携帯用機器の接続ポートとが接続される。これにより、携帯用機器の保護ケースのコネクタを携帯用機器のポートに容易に挿入することができ、且つ携帯電話機器の保護ケースの本体が一体となっているため、強固であり、この保護ケースを紛失する恐れがない。【選択図】図３
0003190009.tif 000002
【実用新案登録請求の範囲】
【請求項１】
保護ケースの内部で特定方向に往復移動可能なスライドコネクタを備え、
前記スライドコネクタには、携帯用機器接続ポートと接続されるコネクタが設けられ、
前記携帯用機器の接続ポートは、前記コネクタにより、前記保護ケースの内部の回路装置に電気的に接続され、
前記携帯用機器が前記保護ケースに挿入された状態で、前記スライドコネクタを前記保護ケースの中心方向に押し込むと、前記スライドコネクタと携帯用機器の接続ポートとが接続されることを特徴とする、スライドコネクタを有する携帯用機器の保護ケース。
【請求項２】
前記スライドコネクタの本体部の側面には突起部が形成されており、前記突起部により前記スライドコネクタの移動可能範囲が制限されることを特徴とする、請求項１に記載のスライドコネクタを有する携帯用機器の保護ケース。
【請求項３】
前記スライドコネクタの本体部の側面には本体部孔が形成されることを特徴とする、請求項１に記載のスライドコネクタを有する携帯用機器の保護ケース。
【請求項４】
前記スライドコネクタの本体部の側面には複数のピン端子が形成されることを特徴とする、請求項１に記載のスライドコネクタを有する携帯用機器の保護ケース。
【請求項５】
前記スライドコネクタの本体部の側面には、複数の電極がスライドコネクタの往復移動方向に長く形成されることを特徴とする、請求項１に記載のスライドコネクタを有する携帯用機器の保護ケース。
【請求項６】
前記スライドコネクタの本体部には、外部コネクタに接続されるポートが形成されていることを特徴とする、請求項１に記載のスライドコネクタを有する携帯用機器の保護ケース。
【請求項７】
前記回路装置は、携帯電話の電力が不足する場合に携帯電話に電力を供給するバッテリを含むことを特徴とする、請求項１に記載のスライドコネクタを有する携帯用機器の保護ケース。
【請求項８】
前記回路装置は、無線電力伝送のための電力受信コイルと、そのコイルから吸収された電力の電圧を特定電圧に変える回路と、を含むことを特徴とする、請求項１に記載のスライドコネクタを有する携帯用機器の保護ケース。
【請求項９】
前記回路装置は、磁気コネクタのための電極パターンを含むことを特徴とする、請求項１に記載のスライドコネクタを有する携帯用機器の保護ケース。
【考案の詳細な説明】
【技術分野】
【０００１】
本考案は、スライドコネクタを有する携帯用機器の保護ケースに関し、より詳細には、携帯用機器の保護ケースのコネクタを携帯用機器と容易に接続することができるようにスライド構造とした、スライドコネクタを有する携帯用機器の保護ケースに関する。
【背景技術】
【０００２】
スマートフォン及びタブレットコンピュータなどの普及により、携帯用機器の保護ケースが多く利用されている。ところで、このような保護ケースは、単に携帯用機器を衝撃から保護する機能の他に、補助バッテリを内蔵して電力を供給する機能、または無線で電力を伝送する機能などを備えるために、保護ケース内に別の電子回路または電気回路（以下、「回路装置」という）を内蔵する場合が多い。この際、前記回路装置と携帯電話とを有線で接続するために、ケース内にコネクタを備える場合がある。
【０００３】
携帯用機器の保護ケースの例として、携帯電話ケースが挙げられる。
【０００４】
図１は従来の携帯電話ケース１０の斜視図である。従来の携帯電話ケース１０は、その上側に携帯電話２０が挿入されることができる。携帯電話ケース１０は、本体１２と、本体の一部から突出されたコネクタ１８と、で構成される。携帯電話ケース１０の上面に携帯電話２０を挿入する際に、携帯電話ケース１０のコネクタ１８を携帯電話２０のマイクロＵＳＢポート２８に挿入することにより、携帯電話２０と携帯電話ケース１０の本体１２内の回路装置とを有線で接続することができる。この際、携帯電話ケース１０のコネクタ１８を携帯電話２０のマイクロＵＳＢポート２８に容易に挿入するために、携帯電話ケース１０の本体１２を弾力性のある材質で形成して、橈み可能なものにすることができる。しかし、携帯電話ケース１０の本体１２を弾力性のある材質で形成しても、携帯電話ケース１０のコネクタ１８を携帯電話２０のマイクロＵＳＢポート２８に挿入することは容易ではない。
【０００５】
このような問題点を解決するために、特許文献１に記載の携帯電話ケース（以下、「従来の携帯電話ケース２」という）では、携帯電話ケースの本体が分離可能に形成されている。
【０００６】
図２は従来の携帯電話ケース２の斜視図である。この携帯電話ケースの本体は、下側本体部１４及び上側本体部１６からなっており、下側本体部１４と上側本体部１６は着脱可能に形成されている。下側本体部１４にはコネクタ１８が形成されている。下側本体部１４に携帯電話２０をスライドさせてコネクタ１８を携帯電話２０のマイクロＵＳＢポート２８に挿入した後、上側本体部１６を下側本体部１４に結合させる。従来の携帯電話ケース２は、携帯電話ケース１０のコネクタ１８を携帯電話２０のマイクロＵＳＢポート２８に容易に挿入することができるが、携帯電話ケースの本体が２つに分離されているため、剛性が劣り、上側本体部１６を紛失する恐れがある。
【先行技術文献】
【特許文献】
【０００７】
【特許文献１】米国特許第８３６７２３５号
【考案の概要】
【考案が解決しようとする課題】
【０００８】
本考案は、上記の問題点を解決するためになされたものであって、本考案が解決しようとする課題は、携帯用機器の保護ケースのコネクタを携帯用機器のポートに容易に挿入することができ、且つ携帯電話機器の保護ケースの本体が一体となっている携帯用機器の保護ケースを提供することにある。
【課題を解決するための手段】
【０００９】
上記の課題を解決するための本考案によるスライドコネクタを有する携帯用機器の保護ケースは、保護ケースの内部で特定方向に往復移動可能なスライドコネクタ１００を含み、前記スライドコネクタ１００には、携帯用機器接続ポートと接続可能なコネクタ１２０が形成されており、前記コネクタ１２０により、携帯用機器の接続ポートと保護ケースの内部の回路装置とが電気的に接続されることができ、前記携帯用機器が前記保護ケースに挿入された状態で、前記スライドコネクタ１００を前記保護ケースの中心方向に押すと、前記コネクタ１２０と携帯用機器の接続ポートとが接続されることを特徴とする。
【００１０】
前記スライドコネクタ１００の本体部１１０の側面には突起部１３０が形成されており、前記突起部１３０により前記スライドコネクタ１００の移動可能範囲が制限されてよい。
【００１１】
前記スライドコネクタ１００の本体部１１０の側面には本体部孔１４０が形成されてよい。
【００１２】
前記スライドコネクタ１００の本体部１１０の側面には多数のピン端子１６０が形成されてよい。
【００１３】
前記スライドコネクタ１００の本体部１１０の側面には、多数の電極がスライドコネクタの往復移動方向に長く形成されてよい。
【００１４】
前記スライドコネクタ１００の本体部１１０には、外部コネクタと接続されることができるポート１８０が形成されてよい。
【００１５】
前記回路装置は、携帯電話の電力が不足する場合には、携帯電話に電力を供給するバッテリを含んでよい。
【００１６】
前記回路装置は、無線電力伝送のための電力受信コイルと、そのコイルから吸収された電力の電圧を特定電圧に変える回路と、を含んでよい。
【００１７】
前記回路装置は、磁気コネクタのための電極パターンを含んでよい。
【考案の効果】
【００１８】
本考案によるスライドコネクタを有する携帯用機器の保護ケースは、携帯用機器の保護ケースのコネクタを携帯用機器のポートに容易に挿入することができ、且つ携帯電話機器の保護ケースの本体が一体となっているため、強固であり、紛失の恐れがない。
【図面の簡単な説明】
【００１９】
【図１】従来の携帯電話ケース１０の斜視図である。
【図２】従来の携帯電話ケース２の斜視図である。
【図３】本考案による携帯電話ケースの平面図である。
【図４】本考案によるスライドコネクタの使用状態を示す断面図である。
【図５】側面に孔が形成されたスライドコネクタの斜視図である。
【図６】側面に孔が形成されたスライドコネクタの使用状態を示す断面図である。
【図７】側面にピン端子が形成されたスライドコネクタの斜視図である。
【図８】スライドコネクタのピン端子が携帯電話ケースの電極に接触されることを示す図面である。
【図９】側面にピン端子が形成されたスライドコネクタの使用状態を示す断面図である。
【図１０】下部にマイクロＵＳＢポートが形成されたスライドコネクタの斜視図である。
【図１１】本考案による携帯電話ケースの他の実施例の斜視図である。
【考案を実施するための形態】
【００２０】
以下、本考案によるスライドコネクタを有する携帯用機器の保護ケースを添付図面を参照してより詳細に説明する。
【００２１】
図３は本考案による携帯電話ケースの平面図である。図３の（A）はスライドコネクタ１００が上方へ押し上げられた状態であり、図３の（B）はスライドコネクタ１００が下方へ押し下げられた状態である。
【００２２】
図３に図示されたように、スライドコネクタ１００が携帯電話ケース本体２００内で往復移動可能な構造となっているため、携帯電話を携帯電話ケースに容易に挿入することができる。
【００２３】
先ず、スライドコネクタ１００が図３（A）の位置にある場合、指でスライドコネクタ１００を押して、スライドコネクタ１００が図３（B）の位置となるようにすることができる。その後、携帯電話を携帯電話ケースに挿入した後、指でスライドコネクタ１００を内側方向に押すと、スライドコネクタ１００のマイクロＵＳＢコネクタの部分が携帯電話のマイクロＵＳＢポートに挿入される。
【００２４】
携帯電話と携帯電話ケースとを分離する際には、携帯電話ケースが若干の弾力性が有するため、携帯電話ケースの上部から分離させると容易に分離される。
【００２５】
図４は本考案によるスライドコネクタの使用状態を示す断面図である。
【００２６】
図４（A）は図３（A）のYY´方向の断面図であり、図４（B）は図３（B）のYY´方向の断面図であり、図４（C）は図３（A）のXX´方向の断面図である。
【００２７】
本考案によるスライドコネクタ１００は、本体部１１０と、マイクロＵＳＢコネクタ１２０と、本体部１１０の側面に形成された４個の突起部１３０と、で構成されている。本体部１１０の上側面（携帯電話ケースの中心に向かう面）にはマイクロＵＳＢコネクタ１２０が形成されており、前記マイクロＵＳＢコネクタ１２０は携帯電話のマイクロＵＳＢポートに挿入されることができる。携帯電話ケース本体２００には移動制限段差２１０が形成されているため、４個の突起部１３０が動く範囲を制限することで、スライドコネクタ１００の移動可能範囲も制限することができる。スライドコネクタ１００は、保護ケースの内部で特定方向に往復移動することができる。また、突起部１３０の数が必ずしも４個である必要はなく、設計上の必要に応じて、必要な数に変更して実施してもよい。
【００２８】
図５は側面に孔が形成されたスライドコネクタの斜視図であり、図６は側面に孔が形成されたスライドコネクタの使用状態を示す断面図である。
【００２９】
スライドコネクタ１００の本体部１１０の側面には本体部孔１４０が形成される。また、携帯電話ケース本体２００において、本体部孔１４０に対応する位置にケース孔２２０が形成される。この本体部孔１４０及びケース孔２２０を介して、マイクロＵＳＢコネクタ１２０に連結された配線１５０が携帯電話ケースの内部の回路装置１５５に接続される。回路装置１５５は、ＵＳＢポート、バッテリなどの多様な構成要素を含むことができる。
【００３０】
スライドコネクタ１００が上下に動く際にも配線１５０が通過できる程度の空間が存在するように、本体部孔１４０またはケース孔２２０は上下方向に十分に長くなければならない。
【００３１】
マイクロＵＳＢコネクタ１２０から延長された配線と、携帯電話ケースの内部の回路装置１５５とは、図５及び図６のように、配線１５０により直接的に接続されてもよいが、図７から図９に示したように、電極とピン端子との接触により接続されてもよい。
【００３２】
図７は側面にピン端子が形成されたスライドコネクタの斜視図であり、図８はスライドコネクタのピン端子が携帯電話ケースの電極に接触されることを示す図面であり、図９は側面にピン端子が形成されたスライドコネクタの使用状態を示す断面図である。図８の（A）はスライドコネクタが携帯電話の方向に移動した状態であり、図８の（B）はスライドコネクタが携帯電話の方向の反対方向に移動した状態である。
【００３３】
図７に図示されたように、スライドコネクタ１００の本体部１１０の側面には多数のピン端子１６０が形成されており、多数のピン端子１６０には、マイクロＵＳＢコネクタ１２０から延長された配線がスライドコネクタ１００の内部を通過して接続される。また、携帯電話ケース本体２００において、多数のピン端子１６０に対応する位置に、多数の電極２４０が上下方向に長く形成される。ピン端子１６０の弾性により、多数のピン端子１６０と多数の電極２４０との接触が維持される。
【００３４】
弾性構造とするために、円筒状のピン端子及びコイルばねを用にる構造を利用してもよいが、小型化のためには、板ばねまたは線ばねを用いることが好ましい。
【００３５】
ピン端子１６０は薄く且つ長い長方形を図８のピン端子１６０のような形状に曲げて板ばねにした後、その板ばねをピン端子孔１７０の方に密着させる構造に形成されてよい。そうすると、その板ばねの突出した部分がピン端子孔１７０に露出され、弾性により、ピン端子１６０と多数の電極２４０との接触が維持されることができる。
【００３６】
スライドコネクタ１００が上下に動く際にもピン端子１６０と電極２４０との接触が維持されるように、電極２４０は上下方向に十分に長くなければならない。
【００３７】
板ばねの側面が図８のピン端子１６０のような形状となるように維持しながら幅を非常に狭くする場合には、そのばねは線ばねとなる。弾性構造を具現するにあたり、線ばねを用いると、ピン端子の軽量化及び小型化に有利である。
【００３８】
ピン端子１６０は、スライドコネクタ１００の本体部１１０の一側面にのみ形成してもよいが、スライドコネクタ１００の本体部１１０の両側面に形成してもよい。ピン端子１６０をスライドコネクタ１００の本体部１１０の両側面に形成すると、一側面に形成するピン端子１６０の数が半分に減少されるため、スライドコネクタ１００の厚さを減少させることができる。ピン端子１６０をスライドコネクタ１００の本体部１１０の４つの側面に形成すると、一側面に形成する電極２４０の数がさらに減少されるため、スライドコネクタ１００のサイズをさらに減少させることができる。
【００３９】
上記の実施例では、スライドコネクタ１００の方にピン端子１６０が形成され、携帯電話ケース本体２００の方に電極２４０が形成されているが、スライドコネクタ１００の方に電極が形成され、携帯電話ケース本体２００の方にピン端子が形成されるように具現してもよい。
【００４０】
図１０は下部にマイクロＵＳＢポートが形成されたスライドコネクタの斜視図である。図１０のスライドコネクタ１００の下部面にはコネクタ側マイクロＵＳＢポート１８０が形成される。したがって、携帯電話のマイクロＵＳＢポートに挿入できる規格の外部コネクタをコネクタ側マイクロＵＳＢポート１８０に挿入することができる。
【００４１】
図１０のスライドコネクタを用いると、外部コネクタの接続有無に応じて携帯電話ケース１００の内部電子回路の動作が変わるように設計することができる。
【００４２】
例えば、外部コネクタが接続されていない際には携帯電話ケース本体２００の内部の回路装置にある補助バッテリから携帯電話に電力を供給し、外部コネクタが接続されると、外部コネクタから携帯電話及び携帯電話ケース内の補助バッテリに電力を供給するように設計することができる。
【００４３】
外部コネクタの接続有無に応じて携帯電話ケース１００の内部電子回路の動作が変わる実施例は、この他にも多く存在するが、その実施例は本考案の技術的思想と直接的な関連がないため、詳細な説明は省略する。
【００４４】
携帯電話ケース本体２００の内部回路装置として、多様な例がある。例えば、携帯電話の電力が不足する場合、この内部回路装置は、携帯電話ケース内に挿入されるバッテリ及び携帯電話に前記バッテリの電力を供給する回路であってよい。または、この内部回路装置は、無線電力伝送のための電力受信コイル及びこのコイルから吸収された電力の電圧を特定電圧に変えて携帯電話に供給する回路であってよい。または、携帯電話ケースの表面に磁気コネクタのための電極パターンを形成し、携帯電話のマイクロＵＳＢポートと前記電極パターンとを電気的に接続する配線が携帯電話ケース内に形成されていてもよい。ここで、「磁気コネクタのための電極パターン」とは、磁気コネクタの一方のコネクタを形成する部分に電極が多数形成されている構造を意味する。
【００４５】
図３から図１０に図示された実施例では、スライドコネクタ１００が携帯電話ケース本体２００の内部に押し込まれると、スライドコネクタ１００が外部に露出されないため、スライドコネクタ１００を携帯電話ケース本体２００の外側へ引っ張り難い構造となっているが、スライドコネクタ１００の露出部分を増加させることで、スライドコネクタ１００を携帯電話ケース本体２００の外側へ引っ張り易くしてもよい。
【００４６】
図１１は本考案による携帯電話ケースの他の実施例の斜視図である。図１１（A）はスライドコネクタ１００が携帯電話ケース本体２００の内側へ押し込まれた状態の斜視図であり、図１１（B）はスライドコネクタ１００が携帯電話ケース本体２００の外側へ引き出されている状態の斜視図である。
【００４７】
図１１の携帯電話ケースでは、スライドコネクタ１００の側面が携帯電話ケース本体２００の側面に露出されているため、図１１（A）状態にある際にも、スライドコネクタ１００の側面を手で引き出して、スライドコネクタ１００を容易に図１１の（B）状態にすることできる。
【００４８】
上記の実施例では携帯電話の保護ケース（携帯電話ケース）を例として挙げたが、携帯電話の他に、タブレットコンピュータの保護ケースにも同様な技術が適用されることができ、その他の携帯用機器の保護ケースにも同様の技術が適用されることができる。
【００４９】
また、上記の実施例では、携帯電話にマイクロＵＳＢポートが形成され、携帯電話ケースにマイクロＵＳＢコネクタが形成される場合のみを例として挙げたが、携帯用機器に他の種類の接続ポートが形成され、保護ケースに他の種類のコネクタが形成される場合にも同様の技術が適用されることができる。
【符号の説明】
【００５０】
１００  スライドコネクタ
１１０  本体部
１２０  ＵＳＢコネクタ
１３０  突起部
１４０  本体部孔
１５０  配線
１５５  回路装置
１６０  ピン端子
１７０  ピン端子孔
１８０  コネクタ側マイクロＵＳＢポート
２００  携帯電話ケース本体
２１０  移動制限段差
２２０  ケース孔
２４０  電極
【図１】
0003190009.tif 000003
【図２】
0003190009.tif 000004
【図３】
0003190009.tif 000005
【図４】
0003190009.tif 000006
【図５】
0003190009.tif 000007
【図６】
0003190009.tif 000008
【図７】
0003190009.tif 000009
【図８】
0003190009.tif 000010
【図９】
0003190009.tif 000011
【図１０】
0003190009.tif 000012
【図１１】
0003190009.tif 000013